(57)【要約】【課題】小型化及び軽量化を図ることができる自動販売機を提供すること。【解決手段】本体キャビネット１０の内部に商品を収容し、所望の金銭が投入されて商品が選択されることにより、選択された商品を払い出して販売する自動販売機において、商用電源１から入力した交流電力を直流電力に変換して出力する電源装置３０を本体キャビネット１０の外部に備え、該電源装置３０を通じて投入される直流電力のみによって駆動するものである。【選択図】図１
2011191915.tif 000002
【特許請求の範囲】
【請求項１】
自動販売機本体の内部に商品を収容し、所望の金銭が投入されて商品が選択されることにより、選択された商品を払い出して販売する自動販売機において、
商用電源から入力した交流電力を直流電力に変換して出力する電源装置を前記自動販売機本体の外部に備え、該電源装置を通じて投入される直流電力のみによって駆動することを特徴とする自動販売機。
【請求項２】
前記電源装置を通じて投入される直流電力を化学エネルギーに変換して蓄え、必要に応じて電気エネルギーに変換して直流電力を出力する蓄電池を備えたことを特徴とする請求項１に記載の自動販売機。
【請求項３】
前記蓄電池を錘として用いたことを特徴とする請求項２に記載の自動販売機。
【発明の詳細な説明】
【技術分野】
【０００１】
本発明は、自動販売機に関し、より詳細には、自動販売機本体の内部に商品を収容し、所望の金銭が投入されて商品が選択されることにより、選択された商品を払い出して販売する自動販売機に関するものである。
【背景技術】
【０００２】
従来、自動販売機本体の内部に商品を収容し、所望の金銭が投入されて商品が選択されることにより、選択された商品を払い出して販売する自動販売機としては、種々のものが知られているが、直流電力が与えられて駆動する機器と、交流電力が与えられて駆動する機器とを内蔵しているのが一般的である（例えば、特許文献１参照）。
【０００３】
そのため、商用電源から与えられる交流電力を直流電力に切り換えるコンバータや、ノイズフィルター等を自動販売機本体に内蔵している。
【先行技術文献】
【特許文献】
【０００４】
【特許文献１】特開２００３−１０９１０２号公報
【発明の概要】
【発明が解決しようとする課題】
【０００５】
ところで、近年、自動販売機は様々な屋内のロケーションでの設置が求められており、そのために小型化の要請がある。しかしながら、従来の自動販売機では、コンバータ等を内蔵しているために、かかるコンバータ等の配設領域を確保する必要があるだけでなく、交流電力が流れる機器や配線の周辺にも交流電力の特性上、空間領域を設ける必要があり、小型化を図ることは、収納商品の削減等を招来する虞れがあった。
【０００６】
本発明は、上記実情に鑑みて、小型化及び軽量化を図ることができる自動販売機を提供することを目的とする。
【課題を解決するための手段】
【０００７】
上記目的を達成するために、本発明の請求項１に係る自動販売機は、自動販売機本体の内部に商品を収容し、所望の金銭が投入されて商品が選択されることにより、選択された商品を払い出して販売する自動販売機において、商用電源から入力した交流電力を直流電力に変換して出力する電源装置を前記自動販売機本体の外部に備え、該電源装置を通じて投入される直流電力のみによって駆動することを特徴とする。
【０００８】
また、本発明の請求項２に係る自動販売機は、上述した請求項１において、前記電源装置を通じて投入される直流電力を化学エネルギーに変換して蓄え、必要に応じて電気エネルギーに変換して直流電力を出力する蓄電池を備えたことを特徴とする。
【０００９】
また、本発明の請求項３に係る自動販売機は、上述した請求項２において、前記蓄電池を錘として用いたことを特徴とする。
【発明の効果】
【００１０】
本発明によれば、商用電源から入力した交流電力を直流電力に変換して出力する電源装置を自動販売機本体の外部に備え、該電源装置を通じて投入される直流電力のみによって駆動するので、交流電力により動作する機器や、コンバータ等を必要とせず、しかもこれらの機器の配設領域や、交流電力の特性上必要とされる空間領域を確保する必要がなく、小型化を図ることができ、更に軽量化を図ることができるという効果を奏する。
【図面の簡単な説明】
【００１１】
【図１】図１は、本発明の実施の形態である自動販売機を概念的に示す概念図である。
【図２】図２は、本発明の実施の形態である自動販売機の構成を電気経路を中心に模式的に示すブロック図である。
【図３】図３は、図１に示した本体キャビネットの正面図である。
【発明を実施するための形態】
【００１２】
以下に添付図面を参照して、本発明に係る自動販売機の好適な実施の形態について詳細に説明する。
【００１３】
図１は、本発明の実施の形態である自動販売機を概念的に示す概念図であり、図２は、本発明の実施の形態である自動販売機の構成を電気経路を中心に模式的に示すブロック図である。ここで例示する自動販売機は、自動販売機本体である本体キャビネット１０を備えている。
【００１４】
本体キャビネット１０は、頂部が湾曲した直方状の形態を成しており、寸法例の一例を挙げると、例えば、高さが５００ｍｍ、左右幅が５００ｍｍ、前後幅が５００ｍｍの大きさを有するものである。このような本体キャビネット１０には、透光性の樹脂材から形成された扉１１が開閉自在に配設してあり、図示の例では、扉１１を閉成した状態である。この扉１１を通じて外部から視認可能な内部には、商品ラック１２が上下に複数段（図示の例では３段）設けてある。
【００１５】
商品ラック１２は、いわゆるスパイラルラックと称されるものであり、スパイラル１３が設けてある。スパイラル１３は、前後方向に沿って螺旋状に巻回された態様で構成され、かつ中心軸回りに回転可能に配設されたものであり、各ピッチ間に商品が載置されている。このようなスパイラル１３は、後方側に配設された駆動ユニットを構成するモータ１４（図２参照）から駆動力が与えられることにより時計回り、あるいは反時計回りに回転し、かかる回転を行うにしたがって漸次前方側に延在するように形成した螺旋状の部材であり、前方側端部は開放端になっている。
【００１６】
このようにスパイラル１３が回転することにより前方に搬送され、かつ下方に落下することにより払い出された商品は、上記扉１１に設けた商品取出口（図示せず）より取り出し可能になる。
【００１７】
上記本体キャビネット１０の前面において扉１１の右方側には、商品選択ボタン１５及び硬貨返却口１６が設けてある。商品選択ボタン１５は、商品を選択するための押釦スイッチである。この商品選択ボタン１５を通じての操作は、選択信号として主制御基板２０に与えられる。
【００１８】
硬貨返却口１６は、図には明示しないが、本体キャビネット１０の側面（例えば右面）に形成された硬貨投入口から投入された硬貨のうち、購入商品の価格を上回った分を返却するための開口である。ここで硬貨投入口に硬貨が投入されると、図２に示す金銭処理基板２１を通じて金種が識別されて、投入価格、返却価格等の金銭処理が行われる。尚、図２中の符号２２，２３は、金銭処理基板２１によって駆動されるモータを示しており、より具体的には、硬貨処理を行うコインメックの駆動源であるモータを示している。
【００１９】
上述したような本体キャビネット１０には、電源装置３０が着脱可能に配設してある。電源装置３０は、ＡＣアダプタであり、コンバータ３１及びノイズフィルター３２を内蔵する。コンバータ３１は、コンセント３３を通じて商用電源１から入力した交流電力を直流電力に変換して出力するものである。これにより、本体キャビネット１０には、電源装置３０により変換された直流電力のみが投入されることになる。
【００２０】
このように本実施の形態における自動販売機においては、硬貨投入口に硬貨が投入され、金銭処理基板２１を含むコインメックにて硬貨の金種等が判断されて投入価格が商品の販売価格以上であると、主制御基板２０により該当する商品の商品選択ボタン１５が有効化される。そして、利用者により商品選択ボタン１５が押下されると、主制御基板２０は、選択された商品を収納する商品ラック１２のモータ１４を駆動させてスパイラル１３を回転させ、該スパイラル１３の最前部に載置された商品を落下させて商品取出口より取り出し可能な状態にする。これにより商品が販売される。
【００２１】
そして、上記自動販売機では、外部に電源装置３０を着脱可能に備えたことにより、本体キャビネット１０には、直流電力のみが与えられることになる。そして、本体キャビネット１０には、直流電力で駆動する機器のみが配設されており、例えば蛍光灯や冷凍機等は配設されていない。
【００２２】
また自動販売機においては、本体キャビネット１０の内部に蓄電池４０が配設してある。蓄電池４０は、本体キャビネット１０に供給される直流電力を化学エネルギーに変換して蓄え、必要に応じて電気エネルギーに変換して直流電力を出力するものであり、図３に示すように、本体キャビネット１０の下方部に錘として配設してある。
【００２３】
以上説明したような本実施の形態である自動販売機によれば、商用電源１から入力した交流電力を直流電力に変換して出力する電源装置３０を本体キャビネット１０の外部に備え、該電源装置３０を通じて投入される直流電力のみによって駆動するので、交流電力により動作する機器や、コンバータ等を必要とせず、しかもこれらの機器の配設領域や、交流電力の特性上必要とされる空間領域を確保する必要がなく、小型化を図ることができ、更に軽量化を図ることができる。
【００２４】
そのため、従来の自動販売機の設置場所だけでなく、種々のロケーション、例えばオフィスの机の上や、机の枠等に設置することが可能である。
【００２５】
また、上記自動販売機では、蓄電池４０を内蔵しているので、電源の無い場所でも設置することが可能になる。
【００２６】
更に、上記自動販売機では、蓄電池４０を錘として利用しているので、自動販売機の転倒防止用の部材を配設する必要がなく、これによっても小型化及び軽量化を図ることができる。
【００２７】
以上、本発明の好適な実施の形態について説明したが、本発明はこれに限定されるものではなく、種々の変更を行うことができる。
【００２８】
上述した実施の形態では、本体キャビネット１０の内部に商品ラック１２としてスパイラルラックを示したが、本発明はこれに限定されず、商品を載置できるものであればその形態は特に限定されない。
【００２９】
また上述した実施の形態では、金銭として硬貨に限定して述べたが、本発明においては、紙幣が挿入、処理されるようにしても良い。
【００３０】
また上述した実施の形態では、蓄電池４０を本体キャビネット１０の下方に配設していたが、本発明では、自動販売機本体（本体キャビネット）の脚部に配設しても構わない。これによっても錘としての機能を発揮することができる。
【産業上の利用可能性】
【００３１】
以上のように、本発明に係る自動販売機は、自動販売機本体の内部に商品を収容し、所望の金銭が投入されて商品が選択されることにより、選択された商品を払い出して販売するのに有用である。
【符号の説明】
【００３２】
１  商用電源
１０  本体キャビネット
１１  扉
１２  商品ラック
１３  スパイラル
１４  モータ
１５  商品選択ボタン
１６  硬貨返却口
２０  主制御基板
２１  金銭処理基板
２２  モータ
２３  モータ
３０  電源装置
３１  コンバータ
３２  ノイズフィルター
３３  コンセント
４０  蓄電池
【図１】
2011191915.tif 000003
【図２】
2011191915.tif 000004
【図３】
2011191915.tif 000005